(57)【要約】【課題】意匠性が良好で、部品点数が少なく、組立性が良好な縦樋の排水構造及び屋根構造体を提供すること。【解決手段】縦樋２の排水構造６０は、排水開口部２６２を介して縦樋２の内部を通る水を排出する縦樋２の排水構造であって、排水開口部２６２は、縦樋２の下方側の側面において側方に開口しており、排水開口部２６２に嵌って位置決めされた状態で縦樋２の側面に配置可能なベース材６１と、ベース材６１を縦樋２の側面に固定するネジ部材６３と、ネジ部材６３を覆うようにベース材６１に嵌合して配置されるカバー材６２と、を備える。【選択図】図１０
2020084739.tif 000002
【特許請求の範囲】
【請求項１】
排水開口部を介して縦樋の内部を通る水を排出する縦樋の排水構造であって、
前記排水開口部は、前記縦樋の下方側の側面において側方に開口しており、
前記排水開口部に嵌って位置決めされた状態で前記縦樋の側面に配置可能なベース材と、
前記ベース材を前記縦樋の側面に固定するネジ部材と、
前記ネジ部材を覆うように前記ベース材に嵌合して配置されるカバー材と、を備える縦樋の排水構造。
【請求項２】
前記ベース材は、断面コ字状に形成され、該ベース材のコ字状における閉じた部分において前記ネジ部材により前記縦樋の側面に固定され、
前記カバー材は、断面コ字状に形成され、該カバー材のコ字状における閉じた部分が前記ネジ部材を覆うように配置された状態で、前記ベース材に嵌合する請求項１に記載の縦樋の排水構造。
【請求項３】
前記ベース材に前記カバー材が取り付けられた状態において一端部側に形成され、内側開口部及び外側開口部から構成される二重管状接続部と、
前記二重管状接続部に接続可能な接続筒部を有する排水部材と、を更に備える請求項１又は２に記載の縦樋の排水構造。
【請求項４】
前記二重管状接続部は、
前記ベース材及び前記カバー材のいずれか一方に形成される前記内側開口部と、前記ベース材及び前記カバー材のいずれか他方に形成される前記外側開口部と、から構成され、
若しくは、前記ベース材又は前記カバー材のいずれか一方に前記内側開口部及び前記外側開口部の両方が形成されることで構成される請求項３に記載の排水構造。
【請求項５】
前記二重管状接続部において、前記内側開口部の先端は、前記外側開口部の先端と同じ位置又は前記外側開口部の先端よりも内部側の位置に位置するように配置される請求項３又は４に記載の縦樋の排水構造。
【請求項６】
前記排水部材は、直線状又はＬ字状の管状に形成される誘導部材を有する請求項３〜５のいずれかに記載の縦樋の排水構造。
【請求項７】
前記カバー材の下面板から上方側に突出して形成され、水を堰き止める堰き止め部を有する請求項１〜６のいずれかに記載の縦樋の排水構造。
【請求項８】
屋根体と、
内部を通る水を排出する排水開口部が設けられた縦樋と、
請求項１〜７のいずれかに記載の縦樋の排水構造と、を備える屋根構造体。
【発明の詳細な説明】
【技術分野】
【０００１】
本発明は、縦樋の排水構造及びこれを備える屋根構造体に関する。
【背景技術】
【０００２】
従来、例えば屋根構造体において、支柱内の一部を縦樋として構成して、支柱の下端部に排水開口を設けて、排水開口を介して水を排出する構造が知られている（例えば、特許文献１参照）。
【先行技術文献】
【特許文献】
【０００３】
【特許文献１】特開２０１８−１２３６４７号公報
【発明の概要】
【発明が解決しようとする課題】
【０００４】
支柱の下端部に設けた排水開口を介して水を排出する場合には、水が排出され方向は一定の方向であるため、水を排出する方向を変更したい場合がある。このような場合に、意匠性が良好で、部品点数が少なく、組立性が良好な排水構造が求められている。
【０００５】
本発明は、意匠性が良好で、部品点数が少なく、組立性が良好な縦樋の排水構造及び屋根構造体を提供することを目的とする。
【課題を解決するための手段】
【０００６】
本発明は、排水開口部（例えば、後述の側方排水開口筒部２６２）を介して縦樋（例えば、後述の支柱２）の内部を通る水を排出する縦樋の排水構造（例えば、後述の支柱２の排水構造６０）であって、前記排水開口部は、前記縦樋の下方側の側面において側方に開口しており、前記排水開口部に嵌って位置決めされた状態で前記縦樋の側面に配置可能なベース材（例えば、後述のベース材６１）と、前記ベース材を前記縦樋の側面に固定するネジ部材（例えば、後述のネジ部材６３）と、前記ネジ部材を覆うように前記ベース材に嵌合して配置されるカバー材（例えば、後述のカバー材６２）と、を備える縦樋の排水構造に関する。
【０００７】
また、前記ベース材は、断面コ字状に形成され、該ベース材のコ字状における閉じた部分において前記ネジ部材により前記縦樋の側面に固定され、前記カバー材は、断面コ字状に形成され、該カバー材のコ字状における閉じた部分が前記ネジ部材を覆うように配置された状態で、前記ベース材に嵌合することが好ましい。
【０００８】
また、前記ベース材に前記カバー材が取り付けられた状態において一端部側に形成され、内側開口部（例えば、後述のベース材側排水開口筒部６１３）及び外側開口部（例えば、後述のカバー材側開口部６２１ａ）から構成される二重管状接続部と、前記二重管状接続部に接続可能な接続筒部（例えば、後述の接続筒部６５２）を有する排水部材と、を更に備えることが好ましい。
【０００９】
また、前記二重管状接続部は、前記ベース材及び前記カバー材のいずれか一方に形成される前記内側開口部と、前記ベース材及び前記カバー材のいずれか他方に形成される前記外側開口部と、から構成され、若しくは、前記ベース材又は前記カバー材のいずれか一方に前記内側開口部及び前記外側開口部の両方が形成されることで構成されることが好ましい。
【００１０】
また、前記二重管状接続部において、前記内側開口部の先端（例えば、後述の先端６１３ａ）は、前記外側開口部の先端（例えば、後述の先端６２１ｂ）と同じ位置又は前記外側開口部の先端（例えば、後述の先端６２１ｂ）よりも内部側の位置に位置するように配置されることが好ましい。
【００１１】
また、前記排水部材は、直線状又はＬ字状の管状に形成される誘導部材（例えば、後述の排水誘導部品６６、６６Ａ）を有することが好ましい。
【００１２】
また、前記カバー材の下面板（例えば、後述の下面板６２３ａ）から上方側に突出して形成され、水を堰き止める堰き止め部（例えば、後述の下方側カバー側嵌合突起６２２ａ）を有することが好ましい。
【００１３】
また、屋根体（例えば、後述の屋根体４）と、内部を通る水を排出する排水開口部が設けられた縦樋と、前記縦樋の排水構造と、を備える屋根構造体（例えば、後述のテラス１）に関する。
【発明の効果】
【００１４】
本発明によれば、意匠性が良好で、部品点数が少なく、組立性が良好な縦樋の排水構造及び屋根構造体を提供することができる。
【図面の簡単な説明】
【００１５】
【図１】本発明の一実施形態に係るテラスを斜め上方側から見た斜視図である。
【図２】図１におけるＡ−Ａ線断面図である。
【図３】支柱の排水構造の構成を示す斜視図である。
【図４】支柱の排水構造の構成を示す分解斜視図である。
【図５】図３のＢ−Ｂ線断面図である。
【図６】図３のＣ−Ｃ線断面図である。
【図７】図３のＤ−Ｄ線断面図である。
【図８】二重管状接続部を示す斜視図である。
【図９】図３のＥ−Ｅ線断面図である。
【図１０】排水誘導部材を支柱に取り付ける手順を示す図であって、ベース材を支柱に取り付けた後に、カバー材を取り付ける手順を示す図である。
【図１１】排水誘導構成部を支柱に取り付ける手順を示す図であって、二重管状接続部に中継部材を取りつけ、その後、中継部材に排水誘導構成部を取り付ける手順を示す図である。
【図１２】変形形態の縦樋の排水構造６０Ａを示す図である。
【発明を実施するための形態】
【００１６】
以下、本発明の支柱の排水構造を備えた屋根構造体の一実施形態について、図面を参照しながら説明する。図１は、本発明の一実施形態に係るテラス１を斜め上方側から見た斜視図である。図２は、図１におけるＡ−Ａ線断面図である。本実施形態においては、屋根構造体をテラス１に適用した例について説明する。なお、本実施形態においては、屋根構造体をテラス１に適用した例について説明するが、これに限定されない。例えば、屋根構造体を、テラス以外の構造物、例えば、カーポート、駐輪場、シェルター、休憩所、バス停などの構造物に適用してもよい。
【００１７】
なお、本実施形態の説明においては、テラス１の屋根体４を構成する複数の長尺形材（長尺材）４１が延びる方向を左右方向Ｘ（長尺形材４１の長手方向）ともいう。また、梁３が延びる方向を前後方向Ｙともいう。前後方向Ｙにおいて、躯体１０側を、躯体側Ｙ１又は前側Ｙ１ともいい、躯体１０と反対側を、躯体と反対側Ｙ２又は後側Ｙ２ともいう。
【００１８】
まず、本実施形態のテラス１の全体構造について説明する。テラス１は、図１に示すように、屋根体４を前後方向の基端側（図１における左手前側）において一対の支柱２で支持する、いわゆる、片持ち構造のテラスである。また、本実施形態のテラス１は、支柱２に接続された梁３の下部（下方）に、屋根体４が吊られて接続される吊構造で構成される。
また、テラス１は、屋根体４の先端が、建物壁面や建物開口を有する躯体１０から離間して、躯体１０に対向して配置される独立型のテラスである。屋根体４と躯体１０との間の隙間は、隙間塞ぎユニット７により塞がれている。
【００１９】
本実施形態のテラス１は、地面１１に立設される一対の支柱２（縦樋）と、支柱２の上端部から支柱に交差する方向に延びる梁３と、梁３の下部に接続される屋根体４と、隙間塞ぎユニット７と、を備える。支柱２、梁３、及び屋根体４を構成する複数の長尺形材４１は、アルミ材料の押出し形材で形成され、断面が中空状の中空部を有するホロー構造を有する。本実施形態においては、地面１１は、躯体１０から支柱２側に向かうに従って下るように傾斜している。
【００２０】
一対の支柱２は、図１に示すように、テラス１の基端側（図１における左手前側）において、テラス１の左右方向に離間して配置される。
支柱２は、図１及び図２に示すように、横断面が角筒状に形成される中空状の支柱本体部２１と、支柱本体部２１の屋根体４側の側面から屋根体４側に突出すると共に上下方向に延びる一対のカバー取付壁２２と、を有する。一対のカバー取付壁２２には、支柱カバー部材２３が取り付けられる。支柱２の上端部には、支柱２の上端部の開口を覆うように、支柱キャップ２４が配置される。
【００２１】
支柱本体部２１と支柱カバー部材２３との間には、屋根体４の屋根体側樋構成部４０（後述）から排出された水が流される。支柱本体部２１と支柱カバー部材２３との間には屋根体側樋構成部４０（後述）から排出された水が流入して水が流れるため、図２に示すように、支柱本体部２１及び支柱カバー部材２３は、支柱側樋構成部２０（支柱側樋構造）として構成される。つまり、支柱２は、縦樋を構成する。本実施形態においては、支柱本体部２１と支柱カバー部材２３との間に雨樋用のホースなどが配置されずに、支柱本体部２１及び支柱カバー部材２３だけで、縦樋を構成する。支柱側樋構成部２０は、支柱本体部２１の屋根体４側の側面が支柱カバー部材２３に覆われるため、テラス１の外部からは視認されない。そのため、支柱２が樋の機能を備えることが外部からは視認されず、意匠性を向上できる。
【００２２】
図１及び図２に示すように、一対の支柱２における左右方向の一方側（図１における右手前側）の支柱２には、地面１１付近の下端部に、排水誘導構成部６が取り付けられる。排水誘導構成部６は、支柱本体部２１と支柱カバー部材２３とにより構成される支柱側樋構成部２０（後述）を流れる水を前後方向の一方側（建物と反対側）の外部へ誘導して排出する。
【００２３】
一対の梁３は、テラス１の左右方向に離間して配置される。一対の梁３は、それぞれ、前後方向に延びると共に、支柱２側に下る下り傾斜で形成される。梁３は、支柱２側に基端側が配置されると共に、基端側から先端側に延びる。一対の梁３の基端側の端部（左側の端部）は、図２に示すように、Ｌ字状の連結部材２５を介して、支柱２の上端部に接続される。一対の梁３の下部には、屋根体４が接続される。
【００２４】
一対の梁３は、図１及び図２に示すように、それぞれ、断面が角筒状に形成される梁側ホロー部３１と、延出板部３２（下部延出板）と、端部キャップ３３と、を有する。
【００２５】
梁側ホロー部３１の先端３１ａは、先端側の上端部が傾斜して切り欠かれるように、先端側から基端側（支柱２側）に向かうにしたがって上る上り傾斜で形成される。
【００２６】
延出板部３２は、梁側ホロー部３１の下端部から、屋根体４における左右方向の中央側（一対の梁３のうち、当該梁３とは別の梁３側）に向けて延出すると共に、前後方向に延びる板状に形成される。延出板部３２は、前後方向に並んで複数配置されるネジ部材１０１により、延出板部３２において、屋根体４に固定される。
【００２７】
屋根体４は、梁３の下方に配置される。屋根体４は、図２に示すように、屋根体４が一対の梁３の下部に吊られて配置される吊り下げ構造であって、一対の梁３の下部に取り付けられる（接続される）。屋根体４は、複数の長尺形材（長尺材）４１が、梁３が延びる方向に並んで連設されて互いが嵌合して連結されて構成される。
【００２８】
複数の長尺形材４１は、それぞれ、テラス１の左右方向（梁３が延びる方向に直交する方向）に延びており、所定の厚さを有する。複数の長尺形材４１は、それぞれ、アルミ材料の押出し形材で形成され、断面が中空状に形成される中空部を有するホロー構造を有する。屋根体４は、上面４ａ及び下面４ｂがフラット（平面状）に形成される。屋根体４は、支柱２側が下る下り傾斜に配置されており、上面４ａ及び下面４ｂは、支柱２側が下る下り傾斜に形成される。アルミ材料の押出し形材で形成された複数の長尺形材４１を連結して屋根体４を構成することで、複数の長尺形材４１を、屋根体４の面材として使用できると共に、屋根体４の強度を確保することができる。また、屋根体４を構成する複数の長尺形材４１を、中空部を有する形材で構成することで、屋根体４自体を強度部材として使用でき、屋根体４の強度を出すための部材を別に設ける必要がない。よって、屋根体４を構成する部材の部品点数を低減できる。
【００２９】
屋根体４を構成する複数の長尺形材４１は、図２に示すように、最も先端側に配置される先端側形材４２と、支柱２側の最も基端側に配置される樋構成形材４４と、先端側形材４２と樋構成形材４４との間に配置される複数の中間形材４３と、を備えて構成される。複数の長尺形材４１は、それぞれ、ネジ部材１０１により、梁３に直接固定されて接続される。
【００３０】
樋構成形材４４は、屋根体４において、複数の長尺形材４１が並ぶ方向の基端側（支柱２側）の端部に並列に配置され、上部側が上方側に向けて開口する長尺形材により形成される。本実施形態においては、樋構成形材４４は、中空部を有さないソリッド材により形成され、上部側が開口する断面Ｕ字形状に形成される。
【００３１】
樋構成形材４４は、屋根体４の支柱２側の最も基端側の端部において、屋根体４の上面４ａを基端側に流れて基端側の端部に達した水を受け止めて流通させる屋根体側樋構成部４０を構成する。屋根体側樋構成部４０の側面に形成された導出開口には、Ｌ字状の誘導部材４７が接続される。
【００３２】
誘導部材４７は、屋根体側樋構成部４０に流れ込んで滞留した水を、支柱側樋構成部２０に誘導する。誘導部材４７は、支柱側樋構成部２０側に下る斜め下方に傾斜した筒状に形成される。
誘導部材４７により支柱側樋構成部２０に誘導された水は、支柱本体部２１と支柱カバー部材２３とにより構成される支柱側樋構成部２０の内部を上方側から下方側に流れ、支柱２の下部に取り付けられた排水誘導構成部６により、外部に排出される。
【００３３】
次に、本発明に係る支柱２の排水構造６０（縦樋の排水構造）について説明する。
図３は、支柱２の排水構造６０の構成を示す斜視図である。図４は、支柱２の排水構造６０の構成を示す分解斜視図である。図５は、図３のＢ−Ｂ線断面図である。図６は、図３のＣ−Ｃ線断面図である。図７は、図３のＤ−Ｄ線断面図である。図８は、二重管状接続部６１０を示す斜視図である。図９は、図３のＥ−Ｅ線断面図である。
【００３４】
支柱２の排水構造６０は、図３に示すように、排水誘導構成部６が、支柱２に固定されることで構成される。図４に示すように、支柱２の内部の支柱側樋構成部２０を通る水は、支柱２に設けられる側方排水開口筒部２６２（排水開口部）を介して排出される。排水誘導構成部６は、支柱２の支柱側樋構成部２０を流れて側方排水開口筒部２６２から排出される水を、テラス１の前後方向Ｙの後側Ｙ２（躯体１０と反対側Ｙ２）の外部へ誘導する。
【００３５】
支柱２に設けられる側方排水部２６について説明する。
側方排水部２６は、図４に示すように、支柱２の内部に配置される水受け部２６１と、水受け部２６１に受け止められた水を側方（左右方向Ｘの外側）へ排出する側方排水開口筒部２６２（排水開口部）と、を有する。
【００３６】
水受け部２６１は、支柱２の内部において支柱側樋構成部２０を通る水を受け止める。
側方排水開口筒部２６２は、支柱２の左右方向Ｘの外側の側面（テラス１の左右方向Ｘの外側の側面）の下方側において、前後方向Ｙの躯体１０側Ｙ１に形成される。側方排水開口筒部２６２は、支柱２の左右方向Ｘの外側の側面から、左右方向Ｘの外側の側方に突出する方形筒状の壁２６２ａに囲まれて形成され、支柱２の下方側の側面において側方に開口している。側方排水開口筒部２６２は、開口部分が上下方向に延びる方形筒状に形成される。側方排水開口筒部２６２の支柱２側には、側方排水開口筒部２６２の周面から外側に突出するフランジ２６２ｂが形成されている。
【００３７】
排水誘導構成部６について説明する。
排水誘導構成部６は、支柱２の側方排水開口筒部２６２から排出される排水の排水方向を変更する。排水誘導構成部６は、図４〜図６に示すように、ベース材６１と、カバー材６２と、ネジ部材６３と、排水部材６４と、を備える。
【００３８】
ベース材６１は、支柱２の側方排水開口筒部２６２に嵌って位置決めされた状態で、支柱２の側面に配置可能である。ベース材６１は、図７に示すように、左右方向Ｘに沿って切断した縦断面形状がコ字状に形成される。ベース材６１は、図４〜図７に示すように、コ字状における閉じた部分を構成するベース材側面板６１１と、ベース材壁部６１２と、ベース材側排水開口筒部６１３（内側開口部）と、ベース材側導入開口６１４と、一対のベース材側嵌合突起６１５と、規制凸条部６１６と、嵌合縁部６１７と、を有する。
【００３９】
ベース材側面板６１１は、図４に示すように、支柱２の側面に沿って配置され、支柱２に設けられる側方排水開口筒部２６２の後側Ｙ２（躯体１０と反対側Ｙ２）の端部から、後側Ｙ２（躯体１０と反対側Ｙ２）に延びる。ベース材側面板６１１は、ネジ部材６３により支柱２の側面に固定される。ベース材側面板６１１の前側Ｙ１（躯体１０側Ｙ１）には、ベース材側導入開口６１４が形成される。
【００４０】
ベース材壁部６１２は、支柱２の側面において前後方向Ｙに並んで配置されたベース材側面板６１１及びベース材側導入開口６１４の周縁から、左右方向Ｘの外側に立ち上がる。ベース材壁部６１２は、図５に示すように、前後方向Ｙに沿って切断した縦断面形状がコ字状に形成され、コ字状の閉じた部分が躯体１０側Ｙ１に配置され、コ字状の開いた部分が躯体１０と反対側Ｙ２に配置される。ベース材壁部６１２の躯体１０と反対側Ｙ２の端部は、ベース材側面板６１１の端部よりも、躯体１０側Ｙ１に短く形成される。
【００４１】
ベース材側導入開口６１４は、ベース材６１における躯体１０側Ｙ１に形成される。ベース材側導入開口６１４は、ベース材側面板６１１の躯体１０側Ｙ１において、側方（左右方向Ｘ）に貫通して開口する。ベース材側導入開口６１４は、側方排水開口筒部２６２を嵌めることができる大きさに形成される。ベース材側導入開口６１４の大きさは、例えば、支柱２の側方排水開口筒部２６２の外形と同じ大きさ又は僅かに大きい大きさに形成される。これにより、ベース材側導入開口６１４を側方排水開口筒部２６２に嵌めるだけで、支柱２に対するベース材６１の位置を位置決めすることができる。
【００４２】
ベース材側導入開口６１４の周縁には、図６に示すように、取付凹部６１４ａが形成される。ベース材側導入開口６１４を側方排水開口筒部２６２に嵌める場合に、取付凹部６１４ａには、側方排水開口筒部２６２の支柱２側の端部に形成されるフランジ２６２ｂが嵌まる。
【００４３】
ベース材側排水開口筒部６１３は、ベース材６１のベース材壁部６１２における躯体１０と反対側Ｙ２の端部に形成される。ベース材側排水開口筒部６１３は、ベース材側導入開口６１４から導入された水を後側Ｙ２（躯体１０と反対側Ｙ２）に排出する。ベース材側排水開口筒部６１３は、ベース材６１のベース材壁部６１２の後側Ｙ２（躯体１０と反対側Ｙ２）の端部から、ベース材側面板６１１に沿って、後側Ｙ２（躯体１０と反対側Ｙ２）に延びる方形筒状に形成され、後側Ｙ２（躯体１０と反対側Ｙ２）に開口する。ベース材側排水開口筒部６１３は、図８に示すように、ベース材側面板６１１の躯体１０と反対側Ｙ２の端部側の部分において、ベース材側面板６１１との間に隙間Ｓを空けて、ベース材側面板６１１に沿って配置される。
【００４４】
一対のベース材側嵌合突起６１５は、それぞれ、ベース材側面板６１１の上端部及び下端部において、支柱２の前後方向Ｙに延びる。一対のベース材側嵌合突起６１５は、それぞれ、ベース材側面板６１１の上端部又は下端部から、支柱２から離れる側に突出し、突出した先端から、上下方向の外側に突出する。ベース材側嵌合突起６１５は、ベース材６１にカバー材６２が取り付けられた場合に、カバー材６２のカバー側嵌合突起６２２（後述）に嵌合する。
【００４５】
ネジ部材６３は、図４に示すように、ベース材側面板６１１を支柱２の側面に固定する。ネジ部材６３は、ベース材６１の内部において、ベース材側面板６１１の左右方向Ｘの支柱２と反対側Ｙ２の外側の側方から側方方向の支柱２側に移動されて、ネジ頭部が、ベース材６１の内部においてベース材側面板６１１の内部側の面に配置されるようにねじ込まれる。
【００４６】
カバー材６２は、ネジ部材６３が外部から視認されないように、ネジ部材６３を覆うようにベース材６１に嵌合して配置される。カバー材６２は、図７に示すように、左右方向Ｘに沿って切断した縦断面形状が、断面コ字状に形成される。ベース材６１にカバー材６２が取り付けられることで、カバー材６２のコ字状における閉じた部分が、ネジ部材６３を覆うように配置された状態で、カバー材６２は、ベース材６１に嵌合する。カバー材６２は、図７及び図８に示すように、カバー本体６２１と、一対のカバー側嵌合突起６２２と、を有する。
【００４７】
一対のカバー側嵌合突起６２２は、図７〜図９に示すように、それぞれ、カバー本体６２１の上面板６２３ｂ及び下面板６２３ａの左右方向Ｘの支柱２側の端部から、上下方向の内側（上側又は下側）に突出する。カバー側嵌合突起６２２は、図４に示すように、カバー本体６２１の前後方向Ｙにおいて、躯体１０と反対側Ｙ２の端部から躯体１０側Ｙ１に延びる。カバー側嵌合突起６２２は、ベース材６１にカバー材６２が取り付けられた場合に、ベース材６１のベース材側嵌合突起６１５に嵌合する。
【００４８】
一対のカバー側嵌合突起６２２のうち、下方側カバー側嵌合突起６２２ａは、堰き止め部を構成する。下方側カバー側嵌合突起６２２ａは、カバー材６２の下面板６３２ａから上方側に突出して形成され、前後方向Ｙに延びる。下方側カバー側嵌合突起６２２ａは、水を堰き止めて、排水方向に水を誘導する。
【００４９】
カバー本体６２１の後側Ｙ２（躯体１０と反対側Ｙ２）の端部には、カバー材側開口部６２１ａ（外側開口部）が形成される。カバー材側開口部６２１ａは、図８に示すように、ベース材側排水開口筒部６１３の外側に隙間Ｓを空けた状態で配置される。カバー材６２のカバー材側開口部６２１ａがベース材側排水開口筒部６１３の外側に隙間Ｓを空けて配置されることで、二重管状接続部６１０を構成する。二重管状接続部６１０は、カバー材６２のカバー材側開口部６２１ａと、ベース材６１の筒状のベース材側排水開口筒部６１３とから構成される。二重管状接続部６１０の隙間Ｓには、図９に示すように、水を外部へ排出する排水部材６４の中継部材６５の接続筒部６５２（後述）が挿入されて接続可能である。二重管状接続部６１０は、ベース材６１にカバー材６２が取り付けられた状態において、ベース材側導入開口６１４と反対側の一端部側に形成される。
【００５０】
本実施形態においては、図５及び図６に示すように、二重管状接続部６１０のベース材側排水開口筒部６１３及びカバー材側開口部６２１ａにおいて、ベース材側排水開口筒部６１３のＹ２側の先端６１３ａは、カバー材側開口部６２１ａのＹ２側の先端６２１ｂと同じ位置に位置するように配置される。これにより、二重管状接続部６１０の内側に配置されるベース材側排水開口筒部６１３は、二重管状接続部６１０に排水部材６４が装着されていない状態において、外部から見えにくい。そのため、意匠性を向上できる。なお、ベース材側排水開口筒部６１３のＹ２側の先端６１３ａの位置は、カバー材側開口部６２１ａのＹ２側の先端６２１ｂよりも内部側の位置に位置するように配置されてもよい。この場合も同様に、二重管状接続部６１０の内側に配置されるベース材側排水開口筒部６１３は、二重管状接続部６１０に排水部材６４が装着されていない状態において、外部から見えにくい。
【００５１】
排水部材６４は、図４に示すように、中継部材６５と、排水誘導部品６６（誘導部材）と、を有する。
中継部材６５は、躯体１０側Ｙ１を二重管状接続部６１０に取り付け可能であり、躯体１０と反対側Ｙ２には、排水誘導部品６６を取り付け可能である。
【００５２】
中継部材６５は、直方体状部分６５１と、管体状部分６５３と、を有する。
直方体状部分６５１は、中継部材６５の躯体１０側Ｙ１に形成され、躯体１０側Ｙ１には、二重管状接続部６１０に接続可能な接続筒部６５２が形成される。接続筒部６５２は、躯体１０側Ｙ１において躯体１０側Ｙ１に開口して形成され、開口部分が上下方向に延びる方形筒状に形成される。
【００５３】
接続筒部６５２の躯体１０側Ｙ１の端部には、一対の嵌合爪６５２ａが形成されている。一対の嵌合爪６５２ａは、接続筒部６５２の前側Ｙ１（躯体１０側Ｙ１）の端部において左右方向Ｘに離間して形成されている。一対の嵌合爪６５２ａは、中継部材６５を二重管状接続部６１０に取り付ける際に、二重管状接続部６１０の隙間Ｓ（図７参照）に挿入されて、嵌合縁部６１７に嵌合する。
【００５４】
管体状部分６５３は、直方体状部分６５１の躯体１０側Ｙ１に接続され、前後方向Ｙに貫通する筒状に形成される。管体状部分６５３は、一対の凸部６５４ａが形成された大径部分６５４と、一対の係合凸部６５５ａが形成された小径取付部分６５５とを有する。
【００５５】
大径部分６５４は、管体状部分６５３の躯体１０側Ｙ１に配置される。一対の凸部６５４ａは、大径部分の外周面において径方向に離間して形成される。
小径取付部分６５５は、大径部分６５４の躯体１０と反対側Ｙ２に配置される。一対の係合凸部６５５ａは、小径取付部分６５５の外周面において径方向に離間して形成される。小径取付部分６５５には、排水誘導部品６６が接続される。一対の係合凸部６５５ａは、排水誘導部品６６を小径取付部分６５５に取り付ける際に、排水誘導部品６６の内周面に係合する。なお、排水誘導部品６６と小径取付部分６５５との接続部に接着剤を塗布してもよい。
【００５６】
排水誘導部品６６は、円筒状に形成され、前後方向Ｙに直線状に延びる。中継部材６５の管体状部分６５３の小径取付部分６５５に取り付けられる。本実施形態においては、排水誘導部品６６は、直線状の管状に形成される。これにより、テラス１から離れた遠くに排水を誘導させることができる。なお、例えば、図１１に示すように、直線状の排水誘導部品６６に代えて、Ｌ字状の管状の排水誘導部品６６Ａとしてもよい。Ｌ字状の管状の排水誘導部品６６Ａとすることで、例えば、地面１１の内部に設置された排水用配管（図示せず）に接続することで、排水用配管を介して、排水することができる。なお、Ｌ字状の管状の排水誘導部品６６Ａを中継部材６５に接続する場合には、一端部６６１を、中継部材６５の大径部分６５４に接続し、他端部６６２には、排水用配管（図示せず）を接続する。
排水誘導部品６６、６６Ａは、後付けの部品として構成してもよい。
【００５７】
次に、排水誘導構成部６を支柱２に取り付ける手順について説明する。図１０は、排水誘導構成部６を支柱２に取り付ける手順を示す図であって、ベース材を支柱に取り付けた後に、カバー材を取り付ける手順を示す図である。図１１は、排水誘導構成部６を支柱２に取り付ける方法を示す図であって、二重管状接続部６１０に中継部材６５を取りつけ、その後、中継部材６５に排水誘導部品６６、６６Ａを取り付ける手順を示す図である。
【００５８】
まず、ベース材６１を支柱２に取り付ける。この場合には、図４に示すベース材６１を支柱２に取り付ける前の状態から、図１０に示すように、ベース材６１のベース材側導入開口６１４を、支柱２の下方側の側面において側方に開口する側方排水開口筒部２６２に嵌めて、ベース材６１を支柱２の側面に取り付ける。このように、ベース材側導入開口６１４を側方排水開口筒部２６２に嵌めるだけで、支柱２に対するベース材６１の位置を位置決めした状態で、容易に、ベース材６１を支柱２の側面に取り付けることができる。
【００５９】
続けて、ネジ部材６３により、ベース材６１のベース材側面板６１１を、ベース材６１の内部側から支柱２の側面に固定する。ネジ部材６３のネジ頭部が、ベース材６１の内部においてベース材側面板６１１の内部側の面に配置されるようにねじ込まれる。これにより、ベース材６１の位置決めがされた状態で、ネジ部材６３により、ベース材６１を支柱２に固定できる。
【００６０】
次に、ネジ部材６３を覆うようにカバー材６２をベース材６１に取り付ける。この場合には、カバー材６２の一対のカバー側嵌合突起６２２を、ベース材６１の一対のベース材側嵌合突起６１５に嵌合させることで、カバー材６２をベース材６１に取り付けることができる。これにより、支柱２の下方側の側面において側方に開口する側方排水開口筒部２６２により左右方向Ｘの側方の一方側に排出される水の排水方向を、前後方向Ｙにおける躯体１０と反対側Ｙ２の方向に変更することができる。
【００６１】
以上のように構成される支柱２の排水構造６０によれば、ネジ部材６３をカバー材６２で覆うことにより、ネジ部材６３を外部に露出させないため、意匠性が良好である。
また、排水方向を変更する主な構成部品を、ベース材６１及びカバー材６２の２つにできるため、部品点数を少なくできる。
また、カバー材６２の一対のカバー側嵌合突起６２２を、ベース材６１の一対のベース材側嵌合突起６１５に嵌合させることで、カバー材６２をベース材６１に取り付けることができるため、組立性が良好である。
【００６２】
また、この状態から、図１１に示すように、中継部材６５及び排水誘導部品６６，６６Ａを、カバー材６２及びベース材６１により形成された二重管状接続部６１０に接続することもできる。カバー材６２及びベース材６１により形成された二重管状接続部６１０に、中継部材６５を取り付ける場合には、二重管状接続部６１０の隙間Ｓに接続筒部６５２を挿入して、ベース材６１の嵌合縁部６１７（図１０参照）に、接続筒部６５２の一対の嵌合爪６５２ａを嵌合させる。これにより、中継部材６５を、二重管状接続部６１０に取り付けることができる。
【００６３】
次に、中継部材６５に、排水誘導部品６６，６６Ａを取り付ける。ここで、中継部材６５には、直線状の管状に形成される排水誘導部品６６を取り付けてもよいし、Ｌ字状の管状の排水誘導部品６６Ａを取り付けてもよい。
例えば、直線状の管状の排水誘導部品６６を中継部材６５の小径取付部分６５５に取り付けることで、躯体１０と反対側Ｙ２に離れた場所に向けて排水することができる。また、Ｌ字状の管状の排水誘導部品６６Ａの一端部６６１を中継部材６５の大径部分６５４に接続し、他端部６６２を地面１１の内部に設置された排水用配管（図示せず）に接続することで、排水用配管を介して、排水することができる。
【００６４】
以上説明した本実施形態の支柱２の排水構造６０によれば、以下のような効果を奏する。
本実施形態の支柱２の排水構造６０は、側方排水開口筒部２６２を介して支柱２の内部を通る水を排出する支柱２の排水構造であって、側方排水開口筒部２６２は、支柱２の下方側の側面において側方に開口しており、側方排水開口筒部２６２に嵌って位置決めされた状態で支柱２の側面に配置可能なベース材６１と、ベース材６１を支柱２の側面に固定するネジ部材６３と、ネジ部材６３を覆うようにベース材６１に嵌合して配置されるカバー材６２と、を備える。そのため、ネジ部材６３をカバー材６２で覆うことにより、ネジ部材６３を外部に露出させないため、意匠性が良好である。また、排水方向を変更する主な構成部品を、ベース材６１及びカバー材６２の２つにできるため、部品点数を少なくできる。また、カバー材６２の一対のカバー側嵌合突起６２２を、ベース材６１の一対のベース材側嵌合突起６１５に嵌合させることで、カバー材６２をベース材６１に取り付けることができるため、組立性が良好である。よって、意匠性が良好で、部品点数が少なく、組立性が良好な排水構造とすることができる。
【００６５】
また、本実施形態においては、ベース材６１は、断面コ字状に形成され、ベース材６１のコ字状における閉じた部分においてネジ部材６３により支柱２の側面に固定され、カバー材６２は、断面コ字状に形成され、カバー材６２のコ字状における閉じた部分がネジ部材６３を覆うように配置された状態で、ベース材６１に嵌合する。これにより、断面コ字状のベース材６１に、断面コ字状のカバー材６２を嵌合させるだけで、ネジ部材６３を覆うことができるため、容易に組み立てることができる。
【００６６】
また、本実施形態においては、ベース材６１は、水を排出する筒状のベース材側排水開口筒部６１３を有し、カバー材６２は、ベース材側排水開口筒部６１３の外側に隙間Ｓを空けた状態で配置されるカバー材側開口部６２１ａを有し、ベース材側排水開口筒部６１３及びカバー材側開口部６２１ａは、二重管状接続部６１０を構成し、二重管状接続部６１０に接続可能な接続筒部６５２を有する排水部材６４を更に備える。これにより、排水部材６４を二重管状接続部６１０において容易に接続できるため、ベース材６１及びカバー材６２により排水方向を変更した後の排水を、容易に誘導できる。
【００６７】
また、本実施形態においては、二重管状接続部６１０において、ベース材側排水開口筒部６１３の先端６１３ａは、カバー材側開口部６２１ａの先端６２１ｂと同じ位置又はカバー材側開口部６２１ａの先端６２１ｂよりも内部側の位置に位置するように配置される。これにより、内側に配置されるベース材側排水開口筒部６１３の先端６１３ａが突出していないため、二重管状接続部６１０の形状がスッキリと形成され、意匠性を向上できる。
【００６８】
また、本実施形態においては、排水部材６４は、直線状又はＬ字状の管状に形成される排水誘導部品６６、６６Ａを有する。排水誘導部品６６を、直線状の管状に形成することで、テラス１から離れた遠くに排水を誘導させることができる。また、排水誘導部品６６Ａを、Ｌ字状の管状に形成することで、例えば、地面１１の内部に設置された排水用配管（図示せず）に接続することで、排水用配管を介して、排水することができる。そのため、誘導部品を用いることで、排水を様々な場所に誘導することができる。これにより、排水を誘導する場所が異なっていても、排水誘導部品６６、６６Ａなどを適宜選択することで対応することができる。
【００６９】
また、本実施形態においては、ベース材６１の下面板から上方側に突出して形成され、水を堰き止める下方側カバー側嵌合突起６２２ａを有する。これにより、下方側カバー側嵌合突起６２２ａにより、水を堰き止めて、排水方向に水を誘導することができる。
【００７０】
以上、本発明の支柱２の排水構造の好ましい一実施形態について説明したが、本発明は、上述した実施形態に制限されるものではなく、適宜変更が可能である。
例えば、前記実施形態においては、二重管状接続部６１０を、カバー材６２のカバー材側開口部６２１ａと、ベース材側排水開口筒部６１３とから構成したが、これに限定されない。例えば、図１２に示すように、二重管状接続部６１０Ａを、カバー材６２の一端部に設けられるカバー本体６２１Ａ（外側開口部）及びカバー材側排水開口筒部６２４（内側開口部）により構成してもよい。図１２は、変形形態の縦樋の排水構造６０Ａを示す図である。
【００７１】
図１２において、ベース材６１Ａの一端部側には、カバー材側開口部６１８が形成される。カバー材６２Ａの一端部側には、カバー本体６２１Ａの内側に、筒状のカバー材側排水開口筒部６２４（内側筒部）が配置される。これにより、ベース材６１Ａにカバー材６２Ａが取り付けられた状態において、カバー材６２Ａの一端部側に配置されるカバー材側排水開口筒部６２４（内側開口部）及びカバー本体６２１Ａ（外側開口部）により二重管状接続部６１０Ａが構成される。
【００７２】
また、二重管状接続部は、図４に示す前記実施形態の二重管状接続部６１０のように、ベース材６１にベース材側排水開口筒部（内側開口部）を形成し、カバー材６２にカバー材側開口部（外側開口部）を形成して、これらを組み合わせて二重管状接続部を構成することに限定されず、また、図１２に示す変形形態の二重管状接続部６１０Ａのように、カバー材６２Ａに、カバー材側排水開口筒部６２４（内側開口部）及びカバー本体６２１Ａ（外側開口部）の両方を設けることで二重管状接続部を構成することに限定されない。例えば、ベース材に、内側開口部及び外側開口部の両方を設けることで二重管状接続部を構成してもよい。また、ベース材６１にベース材側開口部（内側開口部）を形成し、カバー材６２に筒状のカバー材側開口部（外側開口部）を形成して、これらを組み合わせて二重管状接続部を構成してもよい。
【００７３】
また、前記実施形態においては、屋根体４を複数の長尺形材を連設して構成したが、これに限定されない。
また、前記実施形態では、屋根構造体を、屋根体を梁に吊られる構造としたが、これに限定されず、屋根体を梁の上方に配置する構造でもよい。
【００７４】
また、前記実施形態では、支柱２を縦樋（支柱２と縦樋が一体）として構成したが、これに限定されない。例えば、縦樋を支柱と別体で構成し、別体の縦樋を支柱に取り付ける構造としてもよい。
【符号の説明】
【００７５】
１  テラス（屋根構造体）
２  支柱（縦樋）
４  屋根体
６０  縦樋の排水構造
６１  ベース材
６２  カバー材
６３  ネジ部材
６４  排水部材
６６  排水誘導部品（誘導部材）
６６Ａ  排水誘導部品（誘導部材）
２６２  側方排水開口筒部（排水開口部）
６１０、６１０Ａ  二重管状接続部
６１３  ベース材側排水開口筒部（内側開口部）
６１３ａ  ベース材側排水開口筒部の先端（ベース材側排水開口部の先端）
６２１ａ  カバー材側開口部（外側開口部）
６２１ｂ  カバー材側開口部の先端
６２２ａ  下方側カバー側嵌合突起（堰き止め部）
６５２  接続筒部
【図１】
2020084739.tif 000003
【図２】
2020084739.tif 000004
【図３】
2020084739.tif 000005
【図４】
2020084739.tif 000006
【図５】
2020084739.tif 000007
【図６】
2020084739.tif 000008
【図７】
2020084739.tif 000009
【図８】
2020084739.tif 000010
【図９】
2020084739.tif 000011
【図１０】
2020084739.tif 000012
【図１１】
2020084739.tif 000013
【図１２】
2020084739.tif 000014